(57)【要約】【課題】内装パネルを取り付けるときに用いる取付部材の取付位置を容易に把握でき、取付部材の位置から、取付完了後の内装パネルの外観把握を可能とする内装パネルの取付方法及び内装パネル取付用型紙を提供する。【解決手段】略矩形の内装パネルを壁面に取り付ける内装パネルの取付方法である。この方法では、内装パネルと平面視略同形状かつ平面視略同寸法の型紙５を用いる。型紙の裏面の四隅には、目印７が付されている。内装パネルの取付方法は、最初に、この型紙の裏面を壁面３に貼り付ける。次に、型紙の四隅を折り返し、裏面の目印が表側に現れた状態で、目印を基準として、壁面に４つの基準点９を形成する。次に、隣り合う基準点同士を直線で結ぶことにより枠線を形成する。次に、内装パネルを壁面に取り付けるための取付部材を、枠線に沿って組み付ける。最後に、取付部材に内装パネルを取り付ける。【選択図】図９
2015007315.tif 000002
【特許請求の範囲】
【請求項１】
略矩形の内装パネルを壁面に取り付ける内装パネルの取付方法であって、
前記内装パネルと平面視略同形状かつ平面視略同寸法の型紙を用い、
前記型紙の裏面の四隅には、目印が付されており、
前記型紙の前記裏面を前記壁面に貼り付ける型紙の貼付工程と、
前記型紙の四隅を折り返し、前記裏面の前記目印が表側に現れた状態で、前記目印を基準として、前記壁面に４つの基準点を形成する基準点の形成工程と、
隣り合う前記基準点同士を直線で結ぶことにより枠線を形成する枠線の形成工程と、
前記内装パネルを前記壁面に取り付けるための取付部材を、前記枠線に沿って組み付ける取付部材の組付工程と、
前記取付部材に前記内装パネルを取り付ける内装パネルの取付工程と、を備えることを特徴とする内装パネルの取付方法。
【請求項２】
前記型紙の表面には、前記型紙の四隅を折り返した際に前記型紙の角部が配される予定の位置を示す印が形成されている請求項１記載の内装パネルの取付方法。
【請求項３】
前記型紙の表面には、前記型紙の四隅を折り返す際の折り目となる予定の位置に線が形成されている請求項１又は２記載の内装パネルの取付方法。
【請求項４】
略矩形の内装パネルを壁面に取り付ける際に用いる型紙であって、
前記内装パネルと平面視略同形状かつ平面視略同寸法であり、
裏面の四隅には、目印が付されており、
前記裏面が前記壁面に貼り付けられ、
四隅を折り返し、前記裏面の前記目印が表側に現れた状態で、前記目印を基準として、前記壁面に４つの基準点を形成し、
隣り合う前記基準点同士を直線で結ぶことにより枠線を形成し、
前記内装パネルを前記壁面に取り付けるための取付部材を、前記枠線に沿って組み付け、
前記取付部材に前記内装パネルを取り付けるようにして用いられることを特徴とする内装パネル取付用型紙。
【請求項５】
表面には、前記四隅を折り返した際に角部が配される予定の位置を示す印が形成されている請求項４記載の内装パネル取付用型紙。
【請求項６】
表面には、前記四隅を折り返す際の折り目となる予定の位置に線が形成されている請求項４又は５記載の内装パネル取付用型紙。
【発明の詳細な説明】
【技術分野】
【０００１】
本発明は、内装パネルの取付方法及び内装パネル取付用型紙に関し、さらに詳しくは、内装パネルを取り付けるときに用いる取付部材の取付位置を容易に把握でき、取付部材の位置から、取付完了後の内装パネルの外観把握を可能とする内装パネルの取付方法及び内装パネル取付用型紙に関する。
【背景技術】
【０００２】
建築物等の壁面への内装パネルの取付方法としては、壁面に支持具を組み付け、この支持具に内装パネルを組み付ける方法が知られている（例えば、特許文献１参照）。
この方法では、断面Ｊ字状の金属製の支持具を位置決めしつつ、予め壁面に組み付ける。そして、内装パネルの下面を支持具に差し込むようにして、内装パネルを壁面に取り付けている。
【０００３】
また、他の取付方法として、内装パネルの裏面と壁面とを面ファスナ等の取付部材により結合する方法がある。この場合には、見栄えを良くするために、内装パネルを取り付けた状態で、取付部材が見えないようにする。このため、取付部材を内装パネルの外周よりも内側の位置となるように壁面に取り付ける必要がある。このようにすれば、内装パネルにより、取付部材が隠れるから意匠性が向上する。
【先行技術文献】
【特許文献】
【０００４】
【特許文献１】特開２００９−３０２４５号公報
【発明の概要】
【発明が解決しようとする課題】
【０００５】
しかしながら、取付部材は、内装パネルの外周よりも内側の位置となり、この取付位置を把握しにくい場合があった。
また、取付部材の位置が、内装パネルの外周よりも内側のため、取付部材の位置のみからは、取付完了後の内装パネルの外観把握が困難であった。
【０００６】
本発明は、上記現状に鑑みてなされたものであり、内装パネルの取付部材の組付位置を容易に把握でき、取付部材の位置から、取付完了後の内装パネルの外観把握を可能とする内装パネルの取付方法及び内装パネル取付用型紙を提供することを目的とする。
【課題を解決するための手段】
【０００７】
上記問題を解決するために、請求項１に記載の発明は、略矩形の内装パネルを壁面に取り付ける内装パネルの取付方法であって、
前記内装パネルと平面視略同形状かつ平面視略同寸法の型紙を用い、
前記型紙の裏面の四隅には、目印が付されており、
前記型紙の前記裏面を前記壁面に貼り付ける型紙の貼付工程と、
前記型紙の四隅を折り返し、前記裏面の前記目印が表側に現れた状態で、前記目印を基準として、前記壁面に４つの基準点を形成する基準点の形成工程と、
隣り合う前記基準点同士を直線で結ぶことにより枠線を形成する枠線の形成工程と、
前記内装パネルを前記壁面に取り付けるための取付部材を、前記枠線に沿って組み付ける取付部材の組付工程と、
前記取付部材に前記内装パネルを取り付ける内装パネルの取付工程と、を備えることを要旨とする。
請求項２に記載の発明は、前記型紙の表面には、前記型紙の四隅を折り返した際に前記型紙の角部が配される予定の位置を示す印が形成されている請求項１記載の内装パネルの取付方法であることを要旨とする。
請求項３に記載の発明は、前記型紙の表面には、前記型紙の四隅を折り返す際の折り目となる予定の位置に線が形成されている請求項１又は２記載の内装パネルの取付方法であることを要旨とする。
【０００８】
請求項４に記載の発明は、略矩形の内装パネルを壁面に取り付ける際に用いる型紙であって、
前記内装パネルと平面視略同形状かつ平面視略同寸法であり、
裏面の四隅には、目印が付されており、
前記裏面が前記壁面に貼り付けられ、
四隅を折り返し、前記裏面の前記目印が表側に現れた状態で、前記目印を基準として、前記壁面に４つの基準点を形成し、
隣り合う前記基準点同士を直線で結ぶことにより枠線を形成し、
前記内装パネルを前記壁面に取り付けるための取付部材を、前記枠線に沿って組み付け、
前記取付部材に前記内装パネルを取り付けるようにして用いられることを要旨とする。
請求項５に記載の発明は、表面には、前記四隅を折り返した際に角部が配される予定の位置を示す印が形成されていることを要旨とする。
請求項６に記載の発明は、表面には、前記四隅を折り返す際の折り目となる予定の位置に線が形成されている請求項４又は５記載の内装パネル取付用型紙であることを要旨とする。
【発明の効果】
【０００９】
本発明の内装パネルの取付方法によると、内装パネルと平面視略同形状かつ平面視略同寸法の型紙を用いる。型紙の裏面の四隅には、目印が付されている。そして、この方法では、次の工程を備える。すなわち、型紙の裏面を壁面に貼り付ける型紙の貼付工程を備える。また、型紙の四隅を折り返し、裏面の目印が表側に現れた状態で、目印を基準として、壁面に４つの基準点を形成する基準点の形成工程を備える。また、隣り合う基準点同士を直線で結ぶことにより枠線を形成する枠線の形成工程を備える。また、内装パネルを壁面に取り付けるための取付部材を、枠線に沿って組み付ける取付部材の組付工程を備える。更に、取付部材に内装パネルを取り付ける内装パネルの取付工程を備える。
この方法では、内装パネルと略同形状かつ略同寸法の型紙を用いて、型紙の裏面を壁面に貼り付け、型紙の四隅を折り返し、裏面の目印が表側に現れた状態で、目印を基準として、壁面に４つの基準点を形成する。型紙の四隅を折り返して現れる裏面の目印は、内装パネルと略同形状で略同寸法の型紙の外周線よりも内側の位置になり、同様に基準点も内側位置になる。すなわち、目印の位置及び基準点は、四隅を折り返す前の型紙の外周線よりも内側の位置になる。よって、この基準点の隣り合うもの同士を直線で結んだ枠線は、取付完了後の内装パネルの外周よりも内側の位置となる。そして、この枠線が取付部材の組付位置の基準となる。本発明では、このようにして、取付部材の組付位置を容易に把握できる。
また、本発明の方法では、内装パネルと略同形状かつ略同寸法の型紙を一旦、壁面に貼り付けるから、このとき取付完了後の内装パネルの外観の把握が可能となる。
また、型紙の表面に、型紙の四隅を折り返した際に型紙の角部が配される予定の位置を示す印が形成されている場合は、型紙の角部を印に合わせることにより、裏面の目印を所望の位置に確実に露出させることができる。
また、型紙の表面には、型紙の四隅を折り返す際の折り目となる予定の位置に線が形成されている場合は、この線で型紙の四隅を折ることにより、裏面の目印を所望の位置に確実に露出させることができる。
【００１０】
本発明の略矩形の内装パネルを壁面に取り付ける際に用いる型紙は、内装パネルと平面視略同形状かつ平面視略同寸法である。裏面の四隅には、目印が付されており、裏面が壁面に貼り付けられる。そして、四隅を折り返し、裏面の目印が表側に現れた状態で、目印を基準として、壁面に４つの基準点を形成する。隣り合う基準点同士を直線で結ぶことにより枠線を形成し、内装パネルを壁面に取り付けるための取付部材を、枠線に沿って組み付ける。そして、取付部材に内装パネルを取り付けるようにして用いられる。
この型紙の四隅を折り返して現れる裏面の目印は、内装パネルと略同形状で略同寸法の型紙の外周線よりも内側の位置になり、同様に基準点も内側位置になる。よって、この基準点の隣り合うもの同士を直線で結んだ枠線は、取付完了後の内装パネルの外周よりも内側の位置となる。そして、この枠線が取付部材の組付位置の基準となる。本発明の型紙を用いると、このようにして、取付部材の組付位置を容易に把握できる。
また、本発明の型紙は、内装パネルと略同形状かつ略同寸法であり、一旦、壁面に貼り付けられるから、このとき取付完了後の内装パネルの外観の把握が可能となる。
また、型紙の表面に、型紙の四隅を折り返した際に型紙の角部が配される予定の位置を示す印が形成されている場合は、型紙の角部を印に合わせることにより、裏面の目印を所望の位置に確実に露出させることができる。
また、型紙の表面に、型紙の四隅を折り返す際の折り目となる予定の位置に線が形成されている場合は、この線で型紙の四隅を折ることにより、裏面の目印を所望の位置に確実に露出させることができる。
【図面の簡単な説明】
【００１１】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る内装パネルの斜視図である。
【図２】上記内装パネルの表面図である。
【図３】上記内装パネルの裏面図である。
【図４】実施例に係る型紙の表面図である。
【図５】上記型紙の裏面図である。
【図６】実施例に係る内装パネルの取付方法の工程を示す説明図である。
【図７】実施例に係る内装パネルの取付方法の工程を示す説明図である。
【図８】実施例に係る内装パネルの取付方法の工程を示す説明図である。
【図９】実施例に係る内装パネルの取付方法の工程を示す説明図である。
【図１０】実施例に係る内装パネルの取付方法の工程を示す説明図である。
【図１１】実施例に係る内装パネルの取付方法の工程を示す説明図である。
【図１２】実施例に係る内装パネルの取付方法の工程を示す説明図である。
【図１３】実施例に係る内装パネルの取付方法の工程を示す説明図である。
【図１４】他の実施形態に係る内装パネルの取付方法を説明するため説明図である。
【発明を実施するための形態】
【００１２】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１３】
本実施形態に係る内装パネル（１）の取付方法は、略矩形の内装パネル（１）を壁面（３）に取り付ける内装パネル（１）の取付方法である。
この取付方法では、内装パネル（１）と平面視略同形状かつ平面視略同寸法の型紙（５）を用いる。
型紙（５）の裏面の四隅には、それぞれ目印（７）が付されている。
そして、本実施形態の取付方法では、次の工程を備える。すなわち、型紙（５）の裏面を壁面（３）に貼り付ける型紙（５）の貼付工程を備える（図６、図７参照）。また、型紙（５）の四隅を折り返し、裏面の目印（７）が表側に現れた状態で、目印（７）を基準として、壁面（３）に４つの基準点（９）を形成する基準点の形成工程を備える（図８、図９参照）。
また、隣り合う基準点（９）同士を直線で結ぶことにより枠線（１１）を形成する枠線（１１）の形成工程を備える（図１０、図１１参照）。
また、内装パネル（１）を壁面（３）に取り付けるための取付部材（１３）を、枠線（１１）に沿って組み付ける取付部材（１３）の組付工程を備える(図１２参照）。そして、取付部材（１３）に内装パネル（１）を取り付ける内装パネルの取付工程を備える（図１３参照）。
【００１４】
本実施形態に係る内装パネル（１）としては、略矩形の形態のものであれば特に限定されない。例えば、略長方形状のパネルや、略正方形状のパネル等が挙げられる（図１、図２、図３参照）。これらの内装パネル（１）では、角部に丸みが付けられていてもよい。また、材質は特に限定されず、樹脂製であっても、金属製、木製、その他の材質であってもよく、これらの部材を組み合わせたものであってもよい。また、内装パネル（１）の表面には、意匠性を向上させるため、模様、色彩等が施されていることが好ましい。また、内装パネル（１）の裏面には、壁面（３）に組み付けられた取付部材（１３）に係合する係合部（１５）が配されている。
取付部材（１３）としては、特に限定されないが、例えば、面ファスナ、フック、ボタン等が挙げられる。係合部（１５）としては、取付部材（１３）の種類に応じたものが用いられる。例えば、取付部材（１３）が面ファスナの場合には、壁面（３）側に雌雄いずれか一方の面ファスナが組み付けられ、内装パネル（１）側の係合部（１５）として他方の面ファスナが用いられる。
【００１５】
本実施形態の取付方法では、内装パネル（１）と平面視略同形状かつ平面視略同寸法の型紙（５）を用いる。型紙（５）の材質は特に限定されず、例えば、紙製、樹脂製、金属製であってもよい。
型紙（５）の裏面の四隅には、それぞれ目印（７）が付されている（図５参照）。目印（７）の形状、色、大きさ等は特に限定されない。型紙（５）の表面の四隅には、型紙（５）の四隅を折り返した際に型紙（５）の角部（５Ａ）が配される予定の位置を示す印（５Ｂ）が形成されていることが好ましい（図４参照）。この予定の位置を示す印（５Ｂ）の形状、色、大きさ等は特に限定されない。例えば、Ｌ字状の形態とすることができる。
また、型紙（５）の表面には、型紙（５）の四隅を折り返す際の折り目となる予定の位置に線（５Ｃ）が形成されていることが好ましい（図４参照）。この予定の位置を示す線（５Ｃ）の形状、色、大きさ等は特に限定されない。例えば、実線、破線、鎖線等とすることができる。
また、型紙（５）の表面には、各種の文字や、模様を施すことができる。例えば、内装パネルの取付方法に関する説明を記載することができる（図４参照）。
【００１６】
そして、本実施形態の取付方法では、次の工程を備える。各工程について順に説明する。以下の説明では、４枚の内装パネル（１）を取り付ける場合について説明するが、内装パネル（１）の取付枚数は特に限定されない。
＜貼付工程＞
型紙（５）の裏面を壁面（３）に貼り付ける（図６、図７参照）。型紙（５）の貼付方法は、特に限定されず、公知の種々の方法が用いられる。例えば、セロハンテープ等の粘着テープや、糊、接着剤、粘着剤等により貼り付けることができる。中でも粘着テープで貼り付けることが好ましい。型紙（５）を使用後に、剥がしやすいからである。
【００１７】
＜基準点の形成工程＞
次に、型紙（５）の四隅を折り返し、裏面の目印（７）が表側に現れた状態で、目印（７）を基準として、壁面（３）に４つの基準点（９）を形成する（図８、図９参照）。基準点（９）は、どのような方法で形成してもよいが、例えば、鉛筆等の筆記具により壁面（３）に印を付けることにより形成される。なお、図１０は、基準点（９）を形成した後に、型紙（５）を剥がした壁面（３）の状態の一例を示している。
＜枠線の形成工程＞
次に、隣り合う基準点（９）同士を直線で結ぶことにより枠線（１１）を形成する（図１１参照）。直線は、公知の治具を用いて引くことができる。例えば定規を用いることができる。
【００１８】
＜取付部材の組付工程＞
次に、内装パネル（１）を壁面（３）に取り付けるための取付部材（１３）を、枠線（１１）に沿って組み付ける（図１２参照）。取付部材（１３）の配置は、枠線（１１）に沿った配置であれば特に限定されないが、枠線（１１）の角部付近に配置することが好ましい。角部付近に配置することで、内装パネル（１）がバランスよく壁面（３）に取り付けられるからである。
＜内装パネルの取付工程＞
次に取付部材（１３）に内装パネル（１）を取り付ける（図１３参照）。
以上のようにして、壁面（３）に内装パネル（１）が取り付けられる。
【００１９】
なお、上記実施形態で記載した各構成の括弧内の符号は、後述する実施例に記載の具体的構成との対応関係を示すものである。
【実施例】
【００２０】
以下、図面を用いて実施例により本発明を具体的に説明する。
本実施例に係る内装パネル１の取付方法は、図１〜図３に示された略正方形状の内装パネル１を壁面３に取り付ける内装パネル１の取付方法である。
この取付方法では、内装パネル１と平面視略同形状かつ平面視略同寸法の型紙５を用いる。つまり、型紙５も、内装パネル１と同様に、略正方形状をなしている。
【００２１】
本実施例の取付方法では、次の工程を備える。すなわち、型紙５の裏面を壁面３に貼り付ける型紙５の貼付工程を備える。また、型紙５の四隅を折り返し、裏面の目印７が表側に現れた状態で、目印７を基準として、壁面３に４つの基準点９を形成する基準点の形成工程を備える。
また、隣り合う基準点９同士を直線で結ぶことにより枠線１１を形成する枠線１１の形成工程を備える。
また、内装パネル１を壁面３に取り付けるための取付部材１３を、枠線１１に沿って組み付ける取付部材１３の組付工程を備える。そして、取付部材１３に内装パネル１を取り付ける内装パネルの取付工程を備える。
【００２２】
本実施例に係る内装パネル１としては、木製の基体を織物又は編み物で覆ったものが用いられる。内装パネル１の表面には、模様及び／又は色彩が施されている。また、内装パネル１の裏面には、図３に示されるように、壁面３に組み付けられた取付部材１３に係合する係合部１５が配されている。本実施例では、取付部材１３としては、面ファスナが用いられている。壁面３側に雌雄いずれか一方の面ファスナが組み付けられ、内装パネル１側の係合部１５には他方の面ファスナが用いられている。
【００２３】
この取付方法では、上述のように、略正方形状の型紙５を用いている。図５に示すように、型紙５の裏面の四隅には、それぞれ直角二等辺三角形状の目印７が付されている。これらの目印７は、直角の頂点７Ａを内側に向けるように配されている。また、この目印７は型紙５に印刷によって付されている。
図４に示すように、型紙５の表面の四隅には、型紙５の四隅を折り返した際に型紙５の角部５Ａが配される予定の位置を示す印５Ｂが形成されている。この予定の位置を示す印５ＢはＬ字状の形態とされ、型紙５に印刷によって付されている。
また、図４に示すように、型紙５の表面には、型紙５の四隅を折り返す際の折り目となる予定の位置に線５Ｃが形成されている。この予定の位置を示す線５Ｃは、鎖線とされ、型紙５に印刷によって付されている。
また、図４に示すように、型紙５の表面には、内装パネル１の取付方法に関する説明が印刷によって付されている。
【００２４】
そして、本実施例の取付方法では、次の工程を備える。各工程について順に説明する。
＜貼付工程＞
図６、図７に示すように、型紙５の裏面を壁面３に貼り付ける。この際の型紙５の貼付方法は、セロハンテープ１７による仮留めとする。セロハンテープ１７を貼る位置は、図７に示すように、型紙５の角部を避けた位置とする。
【００２５】
＜基準点の形成工程＞
次に、図７、図８に示すように、型紙５の四隅を、線５Ｃに沿って折り返し、型紙５の角部５Ａを印５Ｂに合わせる。すると、裏面の目印７が表側に現れる。この状態で、図９に示すように、目印７を基準として、型紙５毎に壁面３に４つの基準点９を鉛筆等の筆記具により形成する。基準点９は、目印７に対向する点であるが、単なる点であると見にくいため、線５Ｃの折り目に沿わせた直線１８と、線５Ｃの折り目と交差する方向に延ばした延長線１９と、も描く。
また、隣り合う型紙５同士の間にも線２０を描いておく。
その後、型紙５を壁面３から剥がす。すると、図１０のように、直線１８及び延長線１９が壁面３に描かれた状態となる。基準点９は、直線１８と延長線１９との交差する点として容易に認識できる。なお、線２０は、内装パネル１と略同寸法の型紙５の外形を表す線であるから、内装パネル１を取り付ける際の内装パネル１の位置決めの基準線として用いることができる。
＜枠線の形成工程＞
次に、図１１に示すように、隣り合う基準点９同士を筆記具により直線で結ぶことにより枠線１１を形成する。
【００２６】
＜取付部材の組付工程＞
そして、図１２に示すように、取付部材１３である面ファスナを、枠線１１に沿ってネジ等によって組み付ける。取付部材１３の配置は、枠線１１の四隅に配置する。
＜内装パネルの取付工程＞
次に、図１３に示されるように、取付部材１３に内装パネル１を取り付ける。このとき、線２０を基準にして内装パネル１を取り付ける。上述のように、線２０は、内装パネル１と略同寸法の型紙５の外形を表す線であり、内装パネル１を取り付ける際の内装パネル１の位置決めの基準線として好適である。
以上のようにして、壁面３に内装パネル１が取り付けられる。
【００２７】
＜実施例の効果＞
本実施例の内装パネル１の取付方法によると、次の作用効果を奏する。すなわち、この方法では、内装パネル１と略同形状かつ略同寸法の型紙５を用いて、型紙５の裏面を壁面３に貼り付け、型紙５の四隅を折り返し、裏面の目印７が表側に現れた状態で、目印７を基準として、壁面３に４つの基準点９を形成する。型紙５の四隅を折り返して現れる裏面の目印７は、内装パネル１と略同形状で略同寸法の型紙５の折り返し前の外周線２１よりも内側の位置になり、同様に基準点９も内側位置になる。よって、この基準点９の隣り合うもの同士を直線で結んだ枠線１１は、取付完了後の内装パネル１の外周１Ａよりも内側の位置となる（図１３参照）。そして、この枠線１１が取付部材の組付位置の基準となる。本実施例では、このようにして、取付部材１３の組付位置を容易に把握できる。
【００２８】
また、本実施例の方法では、図７に示すように、内装パネル１と略同形状かつ略同寸法の型紙５を一旦、壁面３に貼り付けるから、このとき取付完了後の内装パネル１の外観の把握が可能となる。更に、隣り合う型紙５の間に線２０を描き入れておくようにしたので、この線２０を基準として内装パネル１を配置することにより、型紙５によって把握した外観のイメージと略同等のイメージで内装パネル１を取り付けることができる。
また、型紙５の表面には、型紙５の四隅を折り返した際に型紙５の角部５Ａが配される予定の位置を示す印５Ｂが形成されているから、型紙５の角部５Ａを印５Ｂに合わせることにより、裏面の目印７を所望の位置に確実に露出させることができる。
また、型紙５の表面には、型紙５の四隅を折り返す際の折り目となる予定の位置に線５Ｃが形成されているから、この線５Ｃで型紙５の四隅を折ることにより、裏面の目印７を所望の位置に確実に露出させることができる。
また、本実施例の方法では、基準点９を示すために、線５Ｃの折り目に沿わせた直線１８と、線５Ｃの折り目と交差する方向に延ばした延長線１９と、を描き入れるようにしたので、基準点９の位置の把握がより容易となる。
【００２９】
本実施例の内装パネル１を壁面３に取り付ける際に用いる型紙５によると、次の作用効果を奏する。
この型紙５の四隅を折り返して現れる裏面の目印７は、内装パネル１と略同形状で略同寸法の型紙５の外周線２１よりも内側の位置になり、同様に基準点９も内側位置になる。よって、この基準点９の隣り合うもの同士を直線で結んだ枠線１１は、取付完了後の内装パネル１の外周１Ａよりも内側の位置となる。そして、この枠線１１が取付部材１３の組付位置の基準となる。本実施例の型紙５を用いると、このようにして、取付部材１３の組付位置を容易に把握できる。
【００３０】
また、本実施例の型紙５では、内装パネル１と略同形状かつ略同寸法であり、一旦、壁面３に貼り付けられるから、このとき取付完了後の内装パネル１の外観の把握が可能となる。
また、型紙５の表面には、型紙５の四隅を折り返した際に型紙５の角部５Ａが配される予定の位置を示す印５Ｂが形成されているから、型紙５の角部５Ａを印５Ｂに合わせることにより、裏面の目印７を所望の位置に確実に露出させることができる。
また、型紙５の表面には、型紙５の四隅を折り返す際の折り目となる予定の位置に線５Ｃが形成されているから、この線５Ｃで型紙５の四隅を折ることにより、裏面の目印７を所望の位置に確実に露出させることができる。
【００３１】
また、取付部材１３は、枠線１１の四隅に配置されているから、内装パネル１の重みが分散して、バランスよく壁面３に取り付けることができる。
また、取付部材１３を面ファスナとしているから、内装パネル１の着脱が容易である。よって、室内の雰囲気の変更を容易にできる。
また、型紙５の表面には、内装パネル１の取付方法に関する説明が付されているから、別途取扱説明書を添付する必要がない。また、作業者は、型紙５を参照しつつ、効率良く作業を行うことができる。
【００３２】
尚、本発明においては、上記実施例に限られず、目的、用途に応じて本発明の範囲内で種々変更した実施例とすることができる。即ち、上記実施例では、略正方形状の内装パネル１を用いたが、略矩形の形態のものであれば特に限定されず、例えば、略長方形状のパネルであってもよい。
また、上記実施例では、取付部材１３として、面ファスナを用いたが、これに限定されず、例えば、フック、ボタン等であってもよい。
また、上記実施例では、セロハンテープ１７により、型紙５の裏面を壁面３に貼り付けたが、これに限定されず、例えば、他の粘着テープ、接着剤、粘着剤等により、型紙５を壁面３に貼り付けてもよい。
【００３３】
また、上記実施例では、目印７として、直角二等辺三角形状のものを用いたが、これに限定されず、例えば、尖った角部を有する形状、例えば、矢印形状のものや、二等辺三角形状、正三角形状であってもよい。
また、上記実施例では、折り返す際の折り目となる予定の位置に線５Ｃは、型紙５に印刷によって付されていることとしたが、これに限定されず、例えば、この線をミシン目やプレスによる折り線（および折筋）としてもよい。
また、上記実施例では、取付部材１３をネジによって、壁面３に固定したが、固定手段は特に限定されない。例えば、粘着テープ、接着剤、粘着剤等によって固定してもよい。
また、上記実施例では、基準点９を示すために、線５Ｃの折り目に沿わせた直線１８と、線５Ｃの折り目と交差する方向に延ばした延長線１９と、を描き入れるようにしたが、これに限定されず、例えば、図１４に示すように、延長線１９のみを描き入れるようにしてもよい。この場合も、基準点９の位置の把握が容易であるとともに、１つの基準点９あたり１本の線を描き入れるのみで済むので、作業を簡素化できる。更に、基準点９として、目印７に対向する点のみを描き入れるようにしてもよい。
また、上記実施例では、隣り合う型紙５の間に線２０を入れるようにしたが、本発明ではこれは必須ではない。
【００３４】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３５】
本発明は上記で詳述した実施形態に限定されず、本発明の請求項に示した範囲で様々な変形または変更が可能である。
【産業上の利用可能性】
【００３６】
内装パネルに関する技術として広く利用される。特に、建築物の壁面で使用される内装パネルに関する技術として好適に利用される。
【符号の説明】
【００３７】
１；内装パネル、１Ａ；外周、３；壁面、５；型紙、５Ａ；角部、５Ｂ；角部が配される予定の位置を示す印、５Ｃ；折り目となる予定の位置を示す線、７；目印、７Ａ；直角の頂点、９；基準点、１１；枠線、１３；取付部材、１５；係合部、１７；セロハンテープ、１８；線５Ｃの折り目に沿わせた直線、１９；延長線、２０；型紙の外形を示す線、２１；外周線。
【図１】
2015007315.tif 000003
【図２】
2015007315.tif 000004
【図３】
2015007315.tif 000005
【図４】
2015007315.tif 000006
【図５】
2015007315.tif 000007
【図６】
2015007315.tif 000008
【図７】
2015007315.tif 000009
【図８】
2015007315.tif 000010
【図９】
2015007315.tif 000011
【図１０】
2015007315.tif 000012
【図１１】
2015007315.tif 000013
【図１２】
2015007315.tif 000014
【図１３】
2015007315.tif 000015
【図１４】
2015007315.tif 000016